(57)【要約】【課題】  像形体の下部の形状を載置用台座部によって広くして鏡餅型容器に対する載置安定性を確保しながらも、この広い台座部が座布団に見える構成とすることで、載置用台座部上の像形体は本物により近い像形あるはモチーフに制約を受けることなく自由に像形でき、しかも像形体が座布団上に載っているような飾り物に形成できるから、飾り効果を失うことなく、むしろ像形体が座布団上に載っていることで飾り効果を一層良好に発揮できることになる飾り具を提供すること。【解決手段】  飾り具２は、所定のモチーフを像形した像形部４の下部にこの像形部４より径大な板状の載置用台座部５を設け、且つ像形部４の前記載置用台座部５と接する基部の大きさが、前記載置用台座部５の大きさよりも小さい構成として前記像形部４が座布団上にあるように見える構成とし、この座布団に見える径大な載置用台座部５の下面を前記餅を収納した鏡餅型容器１の湾曲した上面部に載置若しくは載置固定した飾り具。【選択図】      図１
2006000552.tif 000002
【特許請求の範囲】
【請求項１】
餅を収納した鏡餅型容器の湾曲した上面部に飾り具を載置若しくは載置固定し、下部が前記鏡餅型容器の外面部に被嵌係合する透明カバーで前記飾り具をカバーした構成とした飾り具において、前記飾り具は、所定のモチーフを像形した像形部の下部にこの像形部より径大な板状の載置用台座部を設け、且つ像形部の前記載置用台座部と接する基部の大きさが、前記載置用台座部の大きさよりも小さい構成として前記像形部が座布団上にあるように見える構成とし、この座布団に見える径大な載置用台座部の下面を前記餅を収納した鏡餅型容器の湾曲した上面部に載置若しくは載置固定した構成としたことを特徴とする飾り具。
【請求項２】
前記載置用台座部の下面の全部若しくは一部を、前記鏡餅型容器の湾曲した上面部に対して凹状に形成したことを特徴とする請求項１に記載の飾り具。
【請求項３】
前記載置用台座部は、その輪郭が方形状となるように構成すると共に方形の対角線の長さが前記透明カバーの内径と略同等となるように形成し、前記透明カバー内部で前記飾り具を回り止め若しくは回りにくくなる構成としたことを特徴とする請求項１，２のいずれか１項に記載の飾り具。
【請求項４】
前記載置用台座部と前記像形部とが一体成型される構成としたことを特徴とする請求項１〜３のいずれか１項に記載の飾り具。
【発明の詳細な説明】
【技術分野】
【０００１】
本発明は、飾り鏡餅の飾り具に関するものである。
【背景技術】
【０００２】
出願人は、餅を収納した鏡餅型容器の上面部にプラスチック製の橙を載置し、この橙を覆う透明カバー体を前記鏡餅型容器の上部外面部に被嵌した特許文献１に開示の飾り鏡餅を発明し、市場において好評を博している。
【０００３】
ところで、最近、上記の飾り鏡餅の橙に代えて、動物や人物等をモチーフとした像形体を鏡餅型容器の上面部に載置した特許文献２〜５に開示のような飾り鏡餅が提案されている。
【０００４】
【特許文献１】特許第２９６１１４１号公報
【特許文献２】登録実用新案第３０８５３５３号公報
【特許文献３】意匠登録第１１７７３５８号公報
【特許文献４】意匠登録第１１５２４８０号公報
【特許文献５】意匠登録第１１５２４８１号公報
【発明の開示】
【発明が解決しようとする課題】
【０００５】
上述した特許文献２〜５に開示の飾り鏡餅の像形体は、いずれも底部を同寸として広くしたずんどうな形状となっている。このように像形体をずんどうな形にしているのは、この像形体を僅かに湾曲している前記鏡餅型容器の上面部にできるだけ安定性良く載置できるようにするためである。即ち、像形体の下部の面積が狭いと前記鏡餅型容器の上面部に安定性良く載置できないため、像形体がずんどうな形状となって見栄えが悪くなろうとも安定性良く載置できるようにずんどうな形状とせざるをえなく、従って必ず本物とはかけ離れた像形となってしまうか、ずんどうとしても本物とかけはなれないモチーフとするしかなく、飾り物としての有り難みや飾り効果に今一つ欠けるものであった。
【０００６】
言い換えると、本物らしく像形すれば像形体の下部面積が確保できず安定性に欠け、また、たとえ像形体の下面に凹面を形成したり、接着固定してもその固定は不十分となる恐れがあり、たとえ透明カバーで覆ってもこの透明カバーの内部でガタついたり、回転したりするおそれは否めず、そのため強力な接着剤等で強固に固定しなければならず、実用性に乏しい。
【０００７】
本発明は、このような現状に鑑みこれを解決したもので、像形体の下部の形状を載置用台座部によって広くして鏡餅型容器に対する載置安定性を確保しながらも、この広い台座部が座布団に見える構成とすることで、載置用台座部上の像形体は本物により近い像形あるいはモチーフに制約を受けることなく自由に像形でき、しかも像形体が座布団上に載っているような飾り物に形成できるから、飾り効果を失うことなく、むしろ像形体が座布団上に載っていることで飾り効果を一層良好に発揮できることになる飾り具を提供するものである。
【課題を解決するための手段】
【０００８】
添付図面を参照して本発明の要旨を説明する。
【０００９】
餅を収納した鏡餅型容器１の湾曲した上面部に飾り具２を載置若しくは載置固定し、下部が前記鏡餅型容器１の外面部に被嵌係合する透明カバー３で前記飾り具２をカバーした構成とした飾り具において、前記飾り具２は、所定のモチーフを像形した像形部４の下部にこの像形部４より径大な板状の載置用台座部５を設け、且つ像形部４の前記載置用台座部５と接する基部の大きさが、前記載置用台座部５の大きさよりも小さい構成として前記像形部４が座布団上にあるように見える構成とし、この座布団に見える径大な載置用台座部５の下面を前記餅を収納した鏡餅型容器１の湾曲した上面部に載置若しくは載置固定した構成としたことを特徴とする飾り具に係るものである。
【００１０】
また、前記載置用台座部５の下面の全部若しくは一部を、前記鏡餅型容器１の湾曲した上面部に対して凹状に形成したことを特徴とする請求項１に記載の飾り具に係るものである。
【００１１】
また、前記載置用台座部５は、その輪郭が方形状となるように構成すると共に方形の対角線の長さが前記透明カバー３の内径と略同等となるように形成し、前記透明カバー３内部で前記飾り具２を回り止め若しくは回りにくくなる構成としたことを特徴とする請求項１，２のいずれか１項に記載の飾り具に係るものである。
【００１２】
また、前記載置用台座部５と前記像形部４とが一体成型される構成としたことを特徴とする請求項１〜３のいずれか１項に記載の飾り具に係るものである。
【発明の効果】
【００１３】
本発明は上述のように構成したから、像形部の下部の形状を像形部より広い載置用台座部とすることによって鏡餅型容器に対する載置安定性が向上し、この広い台座部が座布団に見える構成とすることで、載置用台座部上の像形部は本物により近い像形あるはモチーフに制約を受けることなく自由に像形でき、しかも像形部が座布団上に載っているような飾り物に形成できるから、飾り効果を失うことなく、むしろ像形部が座布団上に載っていることで飾り効果を一層良好に発揮できる飾り具となる。
【００１４】
また、請求項２記載の発明によれば、像形部の下部の形状が前記載置用台座部によって広がっただけでなく、更にこの広い載置用台座部の下面に凹状部を形成するため、鏡餅型容器に対する載置安定性を一層確実に確保できる飾り具となる。
【００１５】
また、請求項３記載の発明によれば、前記飾り具が透明カバー内で回りにくくなるため、たとえ飾り具を接着固定したり、カバーで押さえ付け固定しなくても前記飾り具の向きが変化しにくい構成となる一層秀れた飾り具となる。
【００１６】
また、請求項４記載の発明によれば、製造が容易で量産性に秀れる一層秀れた飾り具となる。
【発明を実施するための最良の形態】
【００１７】
好適と考える本発明の実施形態（発明をどのように実施するか）を、図面に基づいて本発明の作用を示して簡単に説明する。
【００１８】
鏡餅型容器１の湾曲した上面部に、載置用台座部５の下面を載置若しくは載置固定し、透明カバー３の下部を鏡餅型容器１の上面部に被嵌係合してこの透明カバー３で飾り具２をカバーする。
【００１９】
飾り具２は所定のモチーフを像形した像形部４の下部にこれより径大な前記載置用台座部５が形成されているため、鏡餅型容器１の上面部に座布団（載置用台座部５）が敷かれていてその座布団上に像形部４が載っているように見えることになる。
【００２０】
また、この際、前記像形部４よりも径大で板状の載置用台座部５は、鏡餅型容器１の上面部に対して広い当接面積を確保できるので、前記飾り具２の前記鏡餅型容器１の湾曲した上面部における載置安定性が確保され、しかも、載置用台座部５の上の像形部４をずんどうではなく本物により近い像形に形成あるいはモチーフが制約されることなく自由に像形できることとなり、飾り具２の飾り効果が損なわれることなく、むしろ像形部４が座布団上に載っていることで飾り効果が一層良好となる。
【００２１】
即ち、従来、僅かに湾曲している前記鏡餅型容器１の上面部に像形体をできるだけ安定性良く載置するために、像形体がずんどうな形状となって見栄えが悪くなろうとも、この像形体の下部を広くしてずんどうな形状に形成しており、従って、本物とはかけ離れたずんどうな像形となってしまうか、ずんどうとしても本物とかけ離れないモチーフとするしかなく、飾り物としての有り難みや飾り効果に今一つ欠ける場合があったが、この点、本発明は、像形部４の下部を載置用台座部５により広くしただけでなく、この広い下部が座布団のように見える構成としたので、前記飾り具２の前記鏡餅型容器１の湾曲した上面部における載置安定性が確保されるとともに、像形部４を座布団の上に載っているように見せることで、前記像形部４の形状を広くした前記載置用台座部５に合わせてずんどうな形状に形成する必要がなくなり、像形部４を載置用台座部５より径小に像形して所定のモチーフと同じような形状としても違和感が生じず、従って、どの様な姿体でも像形でき、また、飾り効果も損なわれることがなく、むしろ座布団の上に載っていることで有り難みが増す飾り具２となる。
【００２２】
また、例えば、前記載置用台座部５の下面の全部若しくは一部を、前記餅を収納した鏡餅型容器１の湾曲した上面部に対して凹状に形成した場合、像形部４の下部が前記載置用台座部５によって広がった上、更にこの広い載置用台座部５の下面が凹状となることで、前記載置用台座部５の下面が前記鏡餅型容器１の湾曲した上面部の広い面積に沿うように接することとなり、鏡餅型容器１に対する載置安定性が一層確実に確保できる飾り具となる。
【００２３】
即ち、像形部４の下部を広くせずにこの像形部４の下面に凹状を設けても、この像形部４の下面を前記鏡餅型容器１の湾曲した上面部の狭い面積にしか沿わせることができず、よって、鏡餅型容器１に対する載置安定性が低い場合があるが、本発明においては、像形部４の下部が前記載置用台座部５によって広がった上、更にこの載置用台座部５の下面に凹状を設けることで、鏡餅型容器１の湾曲した上面部に前記載置用台座部５が広く沿うように接することとなり、前記飾り具２が前記鏡餅型容器１の上面部においてぐらぐら揺れて不安定になることなく載置安定性が確保される。
【００２４】
また、例えば、前記載置用台座部５は、その輪郭が方形状となるように構成すると共に方形の対角線の長さが前記透明カバー３の内径と略同等となるように形成し、前記透明カバー３内部で前記飾り具２を回り止め若しくは回りにくくなる構成とした場合、前記載置用台座部５の輪郭の方形状の角部が前記透明カバー３の内壁に当接若しくは近接するため、前記飾り具２の前記透明カバー３内部での回転が抑制され、たとえ飾り具２を接着固定したり、カバーで押さえ付け固定しなくてもこの飾り具２の向きが変化しにくい。
【００２５】
即ち、前記載置用固定台座部５は、仮に、前記透明カバー３の内径と略同等の丸い形状の載置用固定台座部とした場合、この載置用固定台座部は、透明カバー３と当接しながらであっても当接しなくても、飾り具がこの透明カバー３の内部でガタついたり、回転したりするおそれがあり、そのため強力な接着剤等で強固に固定しなければならない場合があったが、この点、本発明は、方形状の載置用固定台座部５の角部が前記透明カバー３と当接若しくは近接し、該透明カバー３内部での回転が抑制されて回り止め若しくは回りにくくできるので、たとえ飾り具２を接着固定したり、カバーで押さえ付け固定しなくてもこの飾り具２の向きが変化しにくい。
【００２６】
また、例えば、前記載置用台座部５と前記像形部４とが一体成型される構成とした場合、座布団付の前記像形部４、即ち飾り具２を例えば、樹脂成型等によって容易に一体成型することができるし、前記像形部４と前記載置用台座部５とを別体とした場合のように前記像形部４と前記載置用台座部５とを組み立てて一体にする手間が省けるので、前記飾り具２及び飾り鏡餅の製造が容易で量産性に秀れたものとなる。
【実施例】
【００２７】
本発明の具体的な実施例について図面に基づいて説明する。
【００２８】
本実施例は、餅を収納した鏡餅型容器１の湾曲した上面部に飾り具２を載置若しくは載置固定し、下部が前記鏡餅型容器１の外面部に被嵌係合する透明カバー３で前記飾り具２をカバーした飾り具に適用したものである。
【００２９】
本実施例の飾り具２は、中空ブロー成型により、像形部４及び該像形部４の下部の載置用台座部５が一体成型されている。
【００３０】
尚、前記飾り具２は、像形部４と載置用台座部５とを別体に設け、これを何らかの接着固定手段で組み立てることにより一体にしても良いが、本実施例のように像形部４と載置用台座部５とを一体成型すると、製造が容易で量産性にも秀れたものとなる。
【００３１】
前記像形部４は、例えば、動物，植物，人物，縁起物等が適宜モチーフとして用いられている。本実施例においては図５に示すような動物（干支としての酉）がモチーフとされている。
【００３２】
前記載置用台座部５は、前記像形部４の下部に該像形部４よりも径大な板状に形成され、この像形部４の下部に座布団（載置用台座部５）が敷かれているように見える。
【００３３】
本実施例においては図３に示すように、前記載置用台座部５の輪郭が略四角に構成されており、また、この載置用台座部５が像形部４とは異色に構成されている。このため、前記載置用台座部５が四角い角座布団であって、この角座布団（載置用台座部５）の上に前記像形部４が載っている形態であるということが明確化される。
【００３４】
また、本実施例においては図３に示すように、前記載置用台座部５を略四角な角座布団とし、この略四角の対角線の長さを前記透明カバー３の内径と略同等となるように構成している。つまり、前記略四角の座布団の角部が透明カバー３の内側に近接するか、若しくは当接して、前記透明カバー３内部における前記飾り具２の回転が抑制されることとなるので、たとえ飾り具２を接着固定したり、カバーで押さえ付け固定しなくても前記透明カバー３内部における前記飾り具２の向きが変化しにくいものとなる。
【００３５】
即ち、本実施例においては図４に示すように、水引６等を配設した鏡餅型容器１の正面位置と、飾り具２の像形部４の正面とを一旦一致させた上で透明カバー３を被せると、この透明カバー３内部における飾り具２の回転が抑制されて前記鏡餅型容器１の正面位置と前記飾り具２の像形部４の正面とが一致したままの状態から変化せず、万一透明カバー３内部で飾り具２の位置がずれていても、前記載置用固定台座部５の角部とカバー３とが当接しているため、透明カバー３を外側から掴んで回転させるだけで、前記飾り具２も回転して位置変更を行えることとなり、正面位置の微調整も容易となる。
【００３６】
また、前記載置用台座部５に載せる前記像形部４は、例えば、二本足の人物であっても、四本足の動物であっても、球体であっても、これらをモチーフとして像形した像形部４の下部に径大な板状の前記載置用台座部５を設けることで、これら像形部４が座布団の上に載っているように見え、しかもこれら像形部４は前記載置用台座部５を介して前記鏡餅型容器１の湾曲した上面部に載置されることとなるので、これらのモチーフの形状に関係なく、広い載置面積を確保でき、飾り具２の前記鏡餅型容器１の湾曲した上面部における載置安定性を保持できる。
【００３７】
また、本実施例は、図１，２に示すように前記載置用台座部５の下面の全部若しくは一部が前記鏡餅型容器１の湾曲した上面部に対して凹状に形成され、このように凹状に形成された下面の広い面積が鏡餅型容器１の湾曲した上面部に当接若しくは沿うように配設されている。
【００３８】
即ち、本実施例においては、像形部４の下部を前記載置用台座部５によって広くした上、更にこの広くした載置用台座部５の下面に凹状が設けられるので、鏡餅型容器１の湾曲した上面部は、この広い凹状の載置用台座部５に広く沿うように覆われることとなり、従って、この広い凹状の載置用台座部５を有する本実施例の飾り具２は、前記鏡餅型容器１の湾曲した上面部における載置安定性が一層良好に保持されることとなる。
【００３９】
尚、前記載置用台座部５は、像形部４のモチーフにより（例えば、野菜等をモチーフとした場合）、方形状若しくは円形状の板状に形成して、お盆若しくは三方等の台座に前記像形部４が載っているように見える構成としても良い。
【００４０】
尚、本発明は、本実施例に限られるものではなく、各構成要件の具体的構成は適宜設計し得るものである。
【図面の簡単な説明】
【００４１】
【図１】本実施例の断面図である。
【図２】本実施例の断面図である。
【図３】本実施例の底面図である。
【図４】本実施例の平面図である。
【図５】本実施例の分解図である。
【符号の説明】
【００４２】
１  鏡餅型容器
２  飾り具
３  透明カバー
４  像形部
５  載置用台座部
６  水引
【図１】
2006000552.tif 000003
【図２】
2006000552.tif 000004
【図３】
2006000552.tif 000005
【図４】
2006000552.tif 000006
【図５】
2006000552.tif 000007